【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
等化器が、通信チャネル上の干渉を低減するために使用され、ドップラー周波数が、前記通信チャネルの変化速度を反映しており、前記等化器は、メインタップと、第１の数の因果タップと、第２の数の反因果タップとを備えている無線通信システムにおいて、ドップラー周波数が減少した場合に、前記等化器の長さを増加させることと、ドップラー周波数が増加した場合に、前記長さを減少させることとを備え、前記増加させることは、前記因果タップが前記反因果タップよりも有用であるか否かを判定することと、有用である場合には、前記第１の数を増加させることと、有用でない場合には、前記第２の数を増加させることとを備えた等化器の長さを調節する方法。
【請求項２】
請求項１に記載の方法において、前記減少させることは、前記因果タップが前記反因果タップよりもより有用であるか否かを判定することと、有用である場合には、前記第２の数を減少させることと、有用でない場合には、前記第１の数を減少させることとを備えた方法。
【請求項３】
請求項１に記載の方法において、前記増加させることは、前記等化器が最後に調節されてから経過した時間がしきい値よりも大きいか否かを判定することと、大きい場合には、ドップラー周波数が減少したことに応じて前記長さを増加させることとを備えた方法。
【請求項４】
請求項１に記載の方法において、前記増加させることは、前記長さが最後に減少されてから経過した時間がしきい値よりも大きいか否かを判定することと、大きい場合には、ドップラー周波数が減少したことに応じて前記長さを増加させることとを備えた方法。
【請求項５】
請求項１に記載の方法において、前記減少させることは、前記等化器が最後に調節されてから経過した時間がしきい値よりも大きいか否かを判定することと、大きい場合には、ドップラー周波数が増加したことに応じて前記長さを減少させることとを備えた方法。
【請求項６】
請求項１に記載の方法において、前記減少させることは、前記長さが最後に増加されてから経過した時間がしきい値よりも大きいか否かを判定することと、大きい場合には、ドップラー周波数が増加したことに応じて前記長さを減少させることとを備えた方法。
【請求項７】
無線通信チャネルを通じて送信されたシンボルを受信することと、
第１のドップラー周波数を受信することであって、前記第１のドップラー周波数が、第１の時刻の前記無線通信チャネルの変化速度を反映していることと、
前記第１のドップラー周波数に基づいて、等化器の長さを選択することと、
第２の時刻において前記無線通信チャネルの変化速度を反映する第２のドップラー周波数を受信することと、
前記第１のドップラー周波数と前記第２のドップラー周波数との差を判定することと、
前記差を判定することに応答して前記長さを調節することとを備え、
前記調節することは、前記差が、第１のしきい値を満足する増加を反映しているか否かを判定することと、反映している場合には、前記長さを減少させることとを備え、
前記等化器は、メインタップと、第１の数の因果タップと、第２の数の反因果タップとを備え、前記長さを減少させることは、前記因果タップが前記反因果タップよりも有用であるか否かを判定することと、有用である場合には、前記第２の数を減少させることと、有用でない場合には、前記第１の数を減少させることとを備えた方法。
【請求項８】
請求項７に記載の方法において、前記等化器を用いて、前記送信されたシンボルをフィルタリングすることを更に備えた方法。
【請求項９】
請求項７に記載の方法において、前記調節することは、
前記長さに対する前の調節からの経過時間を判定することと、
前記経過時間が、経過時間しきい値を満足するか否かを判定し、満足する場合には、前記差に基づいて前記長さを調節することとを備えた方法。
【請求項１０】
請求項７に記載の方法において、前記因果タップが前記反因果タップよりも有用であるか否かを判定することは、
前記因果タップの大きさの第１の平均を計算することと、
前記反因果タップの大きさの第２の平均を計算することと、
前記第１の平均が、前記第２の平均よりも大きいか否かを判定し、大きい場合には、前記因果タップがより有用であると判定し、大きくない場合には、前記反因果タップがより有用であると判定することとを備えた方法。
【請求項１１】
請求項７に記載の方法において、前記因果タップが前記反因果タップよりも有用であるか否かを判定することは、
前記メインタップから最も遠い因果タップの第１の大きさを計算することと、
前記メインタップから最も遠い反因果タップの第２の大きさを計算することと、
前記第１の大きさが前記第２の大きさよりも大きいか否かを判定し、大きい場合には、前記因果タップがより有用であると判定し、大きくない場合には、前記反因果タップがより有用であると判定することとを備えた方法。
【請求項１２】
請求項７に記載の方法において、前記長さを減少させることは、前記第１及び第２の数を等しく減少させることを備えた方法。
【請求項１３】
請求項７に記載の方法において、前記調節することは、前記差が、第２のしきい値を満足する減少を反映しているか否かを判定することと、反映している場合には、前記長さを増加させることとを備えた方法。
【請求項１４】
請求項１３に記載の方法において、前記長さを増加させることは、前記因果タップが、前記反因果タップよりも有用であるか否かを判定することと、有用である場合には、前記第１の数を増加させることと、有用でない場合には、前記第２の数を増加させることとを備えた方法。
【請求項１５】
請求項１３に記載の方法において、前記長さを増加させることは、前記第１の数が前記第２の数よりも小さいか否かを判定することと、小さい場合には、前記第１の数を増加させることと、小さくない場合には、前記第２の数を増加させることと、前記第１の数が前記第２の数に等しい場合には、前記第１の数を前記第２の数と等しく増加させることとを備えた方法。
【請求項１６】
請求項７に記載の方法において、前記選択することは、
前記第１のドップラー周波数を、第１のビン中心を有する第１の周波数ビンに量子化することと、
前記第１のビン中心を用いて前記長さを判定することとを備えた方法。
【請求項１７】
請求項１６に記載の方法において、前記長さを判定することは、ルックアップテーブルを参照することを備え、前記ルックアップテーブルは、前記長さと前記第１のビン中心とを関連付ける方法。
【請求項１８】
請求項７に記載の方法において、
前記第１のドップラー周波数を、第１のビン中心を有する第１の周波数ビンに量子化することと、
前記第１のビン中心と前記第２のドップラー周波数との間の第１の差を判定することと、
前記差に基づいて前記長さを調節することとを更に備えた方法。
【請求項１９】
請求項１８に記載の方法において、ビン中心メモリを前記第１のビン中心に設定することを更に備え、前記調節することが、
前記第１の差が、第１のしきい値を満足する増加を反映しているか否かを判定し、反映している場合には、
前記長さを減少させ、
前記第２のドップラー周波数を、第２のビン中心を有する第２の周波数ビンに量子化させ、
かつ前記ビン中心メモリを前記第２のビン中心に設定することと、
前記第１の差が、第２のしきい値を満足する減少を反映しているか否かを判定し、反映している場合には、
前記長さを増加させ、
前記第２のドップラー周波数を、第３のビン中心を有する第３の周波数ビンに量子化させ、
かつ前記ビン中心メモリを前記第３のビン中心に設定することとを備えた方法。
【請求項２０】
請求項１９に記載の方法において、
前記第２の時刻の後の第３の時刻に、前記無線通信チャネルの変化速度を反映する第３のドップラー周波数を受信することと、
前記ビン中心メモリと前記第３のドップラー周波数との間の第２の差を判定することと、
前記第２の差に基づいて前記長さを調節することとを更に備えた方法。
【請求項２１】
無線通信チャネル上の干渉を低減するための等化器であって、ドップラー周波数が、前記無線通信チャネルの変化速度を反映する等化器において、
メインタップと、
第１の数の因果タップと、
第２の数の反因果タップと、
前記ドップラー周波数に基づいて、前記第１及び第２の数を選択する手段と、
前記ドップラー周波数の第１の評価を用いて、前記第１の数及び前記第２の数を初期化する手段と、
前記第１の評価の後のドップラー周波数の第２の評価を用いて、前記第１の数及び前記第２の数を調節する手段と、
前記第２の評価が、第１のしきい値を満足する量、前記第１の評価を超えた場合には、前記長さを減少させる手段と、
前記第２の評価が、第２のしきい値を満足する量、前記第１の評価よりも小さい場合には、前記長さを増加させる手段とを備え、
前記減少させる手段は、前記因果タップが前記反因果タップよりも有用であるか否かを判定し、有用である場合には、前記第２の数を減少させ、有用でない場合には、前記第１の数を減少させる手段を備えた等化器。
【請求項２２】
請求項２１に記載の等化器において、前記初期化する手段は、
前記第１の評価を、第１のビン中心を有する第１の周波数ビンに量子化する手段と、
前記第１のビン中心を用いて、前記第１の数及び前記第２の数を判定する手段と
を備えた等化器。
【請求項２３】
前記判定する手段は、ルックアップテーブルを備えた請求項２２に記載の等化器。
【請求項２４】
請求項２１に記載の等化器において、
前記増加させる手段は、前記因果タップが前記反因果タップよりも有用であるか否かを判定し、有用である場合には、前記第１の数を増加させ、有用でない場合には、前記第２の数を増加させる手段を備えた等化器。
【請求項２５】
請求項２１に記載の等化器において、前記減少させる手段は、前記長さが最後に増加されてからの経過時間が、しきい値を満足するか否かを判定し、満足する場合には、前記長さを減少させる手段を備えた等化器。
【請求項２６】
請求項２５に記載の等化器において、前記増加させる手段は、前記長さが最後に減少されてからの経過時間が、しきい値を満足するか否かを判定し、満足する場合には、前記長さを増加させる手段を備えた等化器。
【請求項２７】
無線通信チャネル上の干渉を低減するように構成された等化器であって、ドップラー周波数が、前記無線通信チャネルの変化速度を反映する等化器において、
メインタップと、
第１の数の因果タップと、
第２の数の反因果タップと、
前記ドップラー周波数が減少したことに応じて前記等化器の長さを増加させる手段と、
前記ドップラー周波数が増加したことに応じて前記等化器の長さを減少させる手段とを備え、
前記増加させる手段は、前記因果タップが、前記反因果タップよりも有用であるか否かを判定し、有用である場合には、前記第１の数を増加させ、有用でない場合には、前記第２の数を増加させる手段を備えた等化器。
【請求項２８】
請求項２７に記載の等化器において、前記減少させる手段は、前記因果タップが前記反因果タップよりもより有用であるか否かを判定し、有用である場合には、前記第２の数を減少させ、有用でない場合には、前記第１の数を減少させる手段を備えた等化器。
【手続補正２】
【補正対象書類名】明細書
【補正対象項目名】０００４
【補正方法】変更
【補正の内容】
【０００４】
無線データアプリケーションに対する要求が増大するとすれば、高効率無線データ通信システムに対する要求は、著しく増大する。ＩＳ−９５規格は、フォワードリンク及びリバースリンクを通じて、トラヒックデータ及び音声データを送信することができる。固定サイズの符号チャネルフレームでトラヒックデータを送信する方法は、本発明の譲受人に譲渡され、かつ参照してここに組み込まれる、「送信用データのフォーマット化のための方法及び装置（METHOD AND APPARATUS FOR THE FORMATTING OF DATA FOR TRANSMISSION）」と題された米国特許第５，５０４，７７３号明細書に詳細に記載されている。さらに、ＣＤＭＡ方式における高速パケットデータ伝送を提供する高データ速度（ｈｉｇｈ  ｄａｔａ  ｒａｔｅ；ＨＤＲ）方式は、（本願明細書において以後、ＨＤＲ規格と呼ぶ）「ＴＩＡ／ＥＩＡ／ＩＳ−８５６−ｃｄｍａ２０００高速パケットデータエアインタフェース仕様」、および本発明の譲受人に譲渡され、かつ参照してここに組み込まれ、１９９７年１１月３日に出願された、「高速パケットデータ伝送のための方法及び装置（METHOD AND APPARATUS FOR HIGH RATE PACKET DATA TRANSMISSION）」と題された同時継続中の米国特許出願第０８／９６３，３８６号明細書であって、現在は、２００３年６月３日に登録された米国特許第６，５７４，２１１号に詳細に記載されている。
【手続補正３】
【補正対象書類名】明細書
【補正対象項目名】００１１
【補正方法】変更
【補正の内容】
【００１１】
従って、当該技術分野において、チャネルの変化速度が、時間の経過と共に変化するような環境において、ＩＳＩを有効に低減することができる適応等化器に対する要求がある。
【特許文献１】米国特許第４，９０１，３０７号「SPREAD SPECTRUM MULTIPLE ACCESS COMMUNICATION SYSTEM USING SATELLITE OR TERRESTRIAL REPEATERS」
【特許文献２】米国特許第５，１０３，４５９号「SYSTEM AND METHOD FOR GENERATING WAVEFORMS IN A CDMA CELLULAR TELEPHONE SYSTEM」
【特許文献３】米国特許第５，５０４，７７３号「METHOD AND APPARATUS FOR THE FORMATTING OF DATA FOR TRANSMISSION」
【特許文献４】米国特許第６，５７４，２１１号（米国特許出願第０８／９６３，３８６号）「METHOD AND APPARATUS FOR HIGH RATE PACKET DATA TRANSMISSION」
【手続補正４】
【補正対象書類名】明細書
【補正対象項目名】００４９
【補正方法】変更
【補正の内容】
【００４９】
経過した時間のしきい値ＷａｉｔＡが満たされている場合には、動作４１２において、追加すべきタップの数（Ｂ＿Ａｄｄ）が判定される。本発明の具体例としての実施の形態によれば、Ｂ＿Ａｄｄは、タップ数と量子化されたドップラー周波数のビン中心とを関連付けるルックアップテーブルを参照することにより判定される。具体例としてのルックアップテーブルは、以下に示すテーブル２である。テーブル２を見て分かるように、低いドップラー周波数においては、より多くのタップが加えられ（あるいは外され）ている。これは、低いドップラー周波数における変化が、高い周波数における変化よりも、過剰ＭＳＥ上のチャネル変化の影響に関して、より重要であるためである。
【表２】
2005531936.tif 000001
【手続補正５】
【補正対象書類名】明細書
【補正対象項目名】００５６
【補正方法】変更
【補正の内容】
【００５６】
（古いＭ１及びＭ２の値を用いた）タップの有用性に基づいてタップを加えるための適切なルールは、  
【数８】
2005531936.tif 000002
【手続補正６】
【補正対象書類名】明細書
【補正対象項目名】００６３
【補正方法】変更
【補正の内容】
【００６３】
動作４２２においては、タップが、上記因果側、反因果側、あるいはその両方から外されるか否かが判定される。タップを加えることに関して上述したように、タップは、より有用でないと考えられる側から外すことができる。この具体例としての実施の形態によれば、タップを外すための適切なルールは、  
【数１０】
2005531936.tif 000003
【手続補正７】
【補正対象書類名】明細書
【補正対象項目名】００７３
【補正方法】変更
【補正の内容】
【００７３】
上述したように、図５に示すより単純な実施の形態に関するコストは、図４のより複雑な実施の形態に関するコストよりも少ない。しかし、該より単純な実施の形態は、ある状況下では良好に機能しない可能性がある。